(57)【要約】【課題】  画像が記録された記録媒体に対して、再度、印刷を実行する画像記録装置において、その設置スペースを小さくしながら、記録媒体の搬送不良を容易に解消することが可能な画像記録装置を提供する。【解決手段】  第２搬送機構８は、各々、駆動ローラ８４と、従動ローラ８３と、搬送ベルト８２とを備える搬送ユニット８１を列設した構成を有する。各駆動ローラ８４は、一方向クラッチを介して駆動モータと接続されている。各搬送ユニット８１は、透光板８５を備える。各搬送ユニット８１は、リンク機構およびガスばねの作用により、搬送位置とメンテナンス位置との間で開閉可能となっている。【選択図】        図２
2011068457.tif 000002
【特許請求の範囲】
【請求項１】
記録媒体を搬送する第１搬送機構と、
前記第１搬送機構に記録媒体を供給する記録媒体供給部と、
前記第１搬送機構により搬送される記録媒体に画像を記録する画像記録部と、
前記画像記録部により画像が記録された記録媒体を、前記画像記録部の上方を通過させて、再度、前記記録媒体供給部に搬送することにより、当該記録媒体に再度印刷を実行するための第２搬送機構とを備え、
前記第２搬送機構は、各々ベルト搬送機構を備えた複数の搬送ユニットを列設した構成を有するとともに、
前記各搬送ユニットを、記録媒体を搬送する搬送位置と、前記搬送位置から下降したメンテナンス位置との間で移動させる移動機構を備えることを特徴とする画像記録装置。
【請求項２】
請求項１に記載の画像記録装置において、
前記各搬送ユニットは、前記ベルト搬送機構の下方に透光板を備える画像記録装置。
【請求項３】
請求項２に記載の画像記録装置において、
前記各搬送ユニットの上部には、搬送ユニットを覆う上蓋が配置されるとともに、
前記搬送ユニットの上部には、搬送ユニットに向けて光を照射するライトが配設される画像記録装置。
【請求項４】
請求項２または請求項３に記載の画像記録装置において、
前記搬送ユニットにおけるベルト搬送機構による記録媒体の搬送速度を、前記各搬送ユニットのうち前記記録媒体供給部に近い搬送ユニットほど高速とした画像記録装置。
【請求項５】
請求項４に記載の画像記録装置において、
前記ベルト搬送機構は、駆動ローラと、従動ローラと、これらの駆動ローラおよび従動ローラに巻回されたベルトとを備えるとともに、
前記駆動ローラは、一方向クラッチを介して駆動モータと接続される画像記録装置。
【請求項６】
請求項５に記載の画像記録装置において、
前記駆動ローラと前記従動ローラとの距離は、前記第２搬送機構により搬送される記録媒体の搬送ピッチより大きい画像記録装置。
【請求項７】
請求項１に記載の画像記録装置において、
前記ベルト搬送機構は、駆動ローラと、従動ローラと、これらの駆動ローラおよび従動ローラに巻回されたベルトとを備え、
前記ベルト搬送機構による記録媒体の搬送速度を、前記各搬送ユニットのうち前記記録媒体供給部に近い搬送ユニットほど高速とするとともに、
前記駆動ローラは、一方向クラッチを介して駆動モータと接続される画像記録装置。
【請求項８】
請求項７に記載の画像記録装置において、
前記駆動ローラと前記従動ローラとの距離は、前記第２搬送機構により搬送される記録媒体の搬送ピッチより大きい画像記録装置。
【発明の詳細な説明】
【技術分野】
【０００１】
この発明は、例えば、記録媒体の表面と裏面に対して画像を記録する両面印刷のように、画像が記録された記録媒体に対して、再度、印刷を実行する画像記録装置に関する。
【背景技術】
【０００２】
従来の一般的な輪転印刷機においては、反転胴を利用して印刷用紙を反転させることにより、印刷用紙の表面と裏面に対して画像を印刷する構成が採用されている。また、近年においては、インクジェット式の画像記録ユニットを利用して搬送手段により搬送される記録媒体上にインクを吐出すること等により、多品種少量生産を可能とした画像記録装置も提案されている。そして、このような画像記録装置においても、記録媒体の表面と裏面に対して画像を記録する構成が採用される（特許文献１乃至特許文献３参照）。
【先行技術文献】
【特許文献】
【０００３】
【特許文献１】特開２００６−８９２０４号公報
【特許文献２】特開２００６−１０３９６９号公報
【特許文献３】特開２００３−２０７９５４号公報
【発明の概要】
【発明が解決しようとする課題】
【０００４】
ところで、このような両面印刷を実行するためには、画像記録部において印刷が終了した印刷用紙を、再度、印刷部に搬送する必要がある。このとき、例えば、インクジェット式の画像記録ユニットを複数個列設して多色印刷を実行する場合等においては、印刷が終了した印刷用紙を再度印刷部に搬送するための搬送機構の搬送系路が比較的長くなることから、この搬送機構を画像記録部の上方に配置した場合に、画像記録装置全体の設置スペースを小さくすることができる。
【０００５】
しかしながら、搬送系路が長い搬送機構が画像記録部の上方に配置された場合には、その搬送系路中において印刷用紙の紙詰まりが発生した場合には、搬送機構から搬送不良を生じた印刷用紙を取り除くことが困難であるという問題がある。
【０００６】
この発明は上記課題を解決するためになされたものであり、画像が記録された記録媒体に対して、再度、印刷を実行する画像記録装置において、その設置スペースを小さくしながら、記録媒体の搬送不良を容易に解消することが可能な画像記録装置を提供することを目的とする。
【課題を解決するための手段】
【０００７】
請求項１に記載の発明は、記録媒体を搬送する第１搬送機構と、前記第１搬送機構に記録媒体を供給する記録媒体供給部と、前記第１搬送機構により搬送される記録媒体に画像を記録する画像記録部と、前記画像記録部により画像が記録された記録媒体を、前記画像記録部の上方を通過させて、再度、前記記録媒体供給部に搬送することにより、当該記録媒体に再度印刷を実行するための第２搬送機構とを備え、前記第２搬送機構は、各々ベルト搬送機構を備えた複数の搬送ユニットを列設した構成を有するとともに、前記各搬送ユニットを、記録媒体を搬送する搬送位置と、前記搬送位置から下降したメンテナンス位置との間で移動させる移動機構を備えることを特徴とする。
【０００８】
請求項２に記載の発明は、請求項１に記載の発明において、前記各搬送ユニットは、前記ベルト搬送機構の下方に透光板を備える。
【０００９】
請求項３に記載の発明は、請求項２に記載の発明において、前記各搬送ユニットの上部には、搬送ユニットを覆う上蓋が配置されるとともに、前記搬送ユニットの上部には、搬送ユニットに向けて光を照射するライトが配設される。
【００１０】
請求項４に記載の発明は、請求項２または請求項３に記載の発明において、前記搬送ユニットにおけるベルト搬送機構による記録媒体の搬送速度を、前記各搬送ユニットのうち前記記録媒体供給部に近い搬送ユニットほど高速とした。
【００１１】
請求項５に記載の発明は、請求項４に記載の発明において、前記ベルト搬送機構は、駆動ローラと、従動ローラと、これらの駆動ローラおよび従動ローラに巻回されたベルトとを備えるとともに、前記駆動ローラは、一方向クラッチを介して駆動モータと接続される。
【００１２】
請求項６に記載の発明は、請求項５に記載の発明において、前記駆動ローラと前記従動ローラとの距離は、前記第２搬送機構により搬送される記録媒体の搬送ピッチより大きい。
【００１３】
請求項７に記載の発明は、請求項１に記載の発明において、前記ベルト搬送機構は、駆動ローラと、従動ローラと、これらの駆動ローラおよび従動ローラに巻回されたベルトとを備え、前記ベルト搬送機構による記録媒体の搬送速度を、前記各搬送ユニットのうち前記記録媒体供給部に近い搬送ユニットほど高速とするとともに、前記駆動ローラは、一方向クラッチを介して駆動モータと接続される。
【００１４】
請求項８に記載の発明は、請求項７に記載の発明において、前記駆動ローラと前記従動ローラとの距離は、前記第２搬送機構により搬送される記録媒体の搬送ピッチより大きい。
【発明の効果】
【００１５】
請求項１に記載の発明によれば、画像記録部により画像が記録された記録媒体を、画像記録部の上方を通過させて、再度、前記記録媒体供給部に搬送することにより、画像記録装置全体の設置スペースを小さくすることができる。そして、各搬送ユニットを、記録媒体を搬送する搬送位置と、この搬送位置から下降したメンテナンス位置との間で個別に移動させる移動機構を備えることから、記録媒体の搬送不良を容易に解消することが可能となる。
【００１６】
請求項２に記載の発明によれば、ベルト搬送機構の下方に透光板を備えることから、第２搬送機構における各搬送ユニットから粉塵が画像記録部に落下することを防止できる。また、記録媒体の搬送不良が生じたときには、第２搬送機構のうちの搬送不良が生じた搬送ユニットを容易に特定することができることから、その搬送ユニットのみをメンテナンス位置に移動させることにより、記録媒体の搬送不良を容易に解消することが可能となる。
【００１７】
請求項３に記載の発明によれば、上蓋の下方において搬送ユニットに向けて光を照射するライトが配設されることから、搬送不良が生じた搬送ユニットをより容易に特定することが可能となる。
【００１８】
請求項４に記載の発明によれば、搬送ユニットにおけるベルト搬送機構による記録媒体の搬送速度を記録媒体供給部に近い搬送ユニットほど高速としたことから、第２搬送機構の搬送系路が比較的長い場合においても、記録媒体の搬送不良を防止して、記録媒体を好適に搬送することが可能となる。
【００１９】
請求項５に記載の発明によれば、駆動ローラが一方向クラッチを介して駆動モータと接続されることから、各搬送ユニットにおけるベルト搬送機構による記録媒体の搬送速度に差違があった場合においても、記録媒体をスムースに搬送することが可能となる。
【００２０】
請求項６に記載の発明によれば、駆動ローラと従動ローラとの距離が第２搬送機構により搬送される記録媒体の搬送ピッチより大きいことから、記録媒体が３個以上の搬送ユニットにより同時に搬送されることを防止することができる。このため、複数の記録媒体を連続して、搬送速度に差がある複数の搬送ユニットにより搬送した場合においても、搬送不良を生ずることなく、記録媒体を好適に搬送することが可能となる。
【００２１】
請求項７に記載の発明によれば、搬送ユニットにおけるベルト搬送機構による記録媒体の搬送速度を記録媒体供給部に近い搬送ユニットほど高速としたことから、第２搬送機構の搬送系路が比較的長い場合においても、記録媒体の搬送不良を防止して、記録媒体を好適に搬送することが可能となる。このときに、駆動ローラが一方向クラッチを介して駆動モータと接続されることから、各搬送ユニットにおけるベルト搬送機構による記録媒体の搬送速度に差違があった場合においても、記録媒体をスムースに搬送することが可能となる。
【００２２】
請求項８に記載の発明によれば、駆動ローラと従動ローラとの距離が第２搬送機構により搬送される記録媒体の搬送ピッチより大きいことから、記録媒体が３個以上の搬送ユニットにより同時に搬送されることを防止することができる。このため、複数の記録媒体を連続して、搬送速度に差がある複数の搬送ユニットにより搬送した場合においても、搬送不良を生ずることなく、記録媒体を好適に搬送することが可能となる。
【図面の簡単な説明】
【００２３】
【図１】この発明に係る画像記録装置の側面概要図である。
【図２】第２搬送機構８の概要を示す側面図である。
【図３】第２搬送機構８の概要を示す平面図である。
【図４】第２搬送機構の要部を下方から見た斜視図である。
【図５】第２搬送機構の要部を下方から見た斜視図である。
【発明を実施するための形態】
【００２４】
以下、この発明の実施の形態を図面に基づいて説明する。図１はこの発明に係る画像記録装置の側面概要図である。
【００２５】
この画像記録装置は、テーブル１上に吸着孔を利用して吸着保持された記録媒体としての印刷用紙に画像の記録を行うものであり、給紙部２と、排紙部４と、一定間隔で配置された１０個のテーブル１（図１においては、その一部のみを図示している）を周回軌道に沿って移動させるテーブル移動機構５と、このテーブル移動機構５により移動するテーブル１上の印刷用紙に画像を記録する画像記録部３と、タッチパネル式の入出力部を有するＧＵＩ（Ｇｒａｐｈｉｃａｌ  Ｕｓｅｒ  Ｉｎｔｅｒｆａｃｅ）６と、印刷用紙を反転する反転部７と、反転部７で反転された印刷用紙を給紙部２に搬送する第２搬送機構８とを備える。
【００２６】
給紙部２は、サッカー部４０と、流し部５０とから構成される。サッカー部４０は、重畳された多数の印刷用紙をその上部から吸着保持し、一枚ずつ流し部に供給するためのものである。また、流し部５０は、サッカー部４０から供給された印刷用紙を、周回軌道に沿って移動するテーブル１に供給するためのものである。
【００２７】
画像記録部３は、テーブル移動機構５により一方向に走行するテーブル１の上面に吸着保持された印刷用紙に対し、インクジェット方式で画像を記録するものである。この画像記録部３は、前処理剤塗布ヘッド２１と、４個の記録ヘッド２２、２３、２４、２５と、５個のヒータ２６、２８、２９、３０、３１と、この発明の検出部として機能するスキャナ３２とを備える。
【００２８】
前処理剤塗布ヘッド２１は、４個の記録ヘッド２２、２３、２４、２５により画像を記録する前に、印刷用紙に透明な前処理剤を塗布するものである。この前処理剤としては、例えば、グロス系の印刷用紙や光沢系の印刷用紙を使用したときに、インクの印刷用紙への付着性を向上させるためのアンカーコートが使用される。
【００２９】
４個の記録ヘッドは、ブラックインク用の記録ヘッド２２と、シアンインク用の記録ヘッド２３と、マゼンタインク用の記録ヘッド２４と、イエローインク用の記録ヘッド２５である。これらの記録ヘッド２２、２３、２４、２５は、一方向に移動するテーブル１の上方に配設されている。そして、これらの記録ヘッド２２、２３、２４、２５は、テーブル１の移動方向と直交する方向に列設された多数のインクジェットノズルを備え、これらのインクジェットノズルから印刷用紙上にインクを吐出して画像を記録する。
【００３０】
５個のヒータは、プレヒート用のヒータ２６と、中間ヒート用のヒータ２８、２９、３０と、メインヒート用のヒータ３１とである。これらのヒータ２６、２８、２９、３０、３１は、印刷用紙に熱風を吹き付ける構成となっている。また、スキャナ３２は、ライン状のＣＣＤカメラを備え、印刷用紙のサイズを測定するとともに記録された画像全体やパッチの濃度を測定する構成となっている。
【００３１】
テーブル移動機構５は、無端状搬送機構を備える。この無端状搬送機構は、一対のスプロケット４６に巻回されたチェーン４４を有する。そして、一方のスプロケット４６の側方にはスプロケット４７が付設されており、このスプロケット４７は、モータの駆動により回転する駆動スプロケット４８および従動スプロケット４９と、チェーン５１により連結されている。このため、チェーン４４は、駆動スプロケット４８の駆動により、一対のスプロケット４６に巻回された状態で回動する。
【００３２】
このテーブル移動機構５は、上述した無端状搬送機構により１０個のテーブル１を周回軌道に沿って高速で移動させるとともに、画像の記録時にはこれらのテーブル１を無端状搬送機構から切り離して、リニアモータ機構６１により精度よく一方向に移動させる構成となっている。そして、このときテーブル１は、リニアガイドのレールにより案内される。
【００３３】
なお、テーブル１の走行経路の下方には、上述した吸着ファン５５が配設されている。また、テーブル１は中空状の構造を有する。そして、テーブル１の表面にはテーブル１の中空部と連通する吸着孔が形成されている。このため、吸着ファン５５から排気を行うことにより、テーブル１の表面に供給された印刷用紙をこの吸着孔を介してテーブル１上に吸着保持することが可能となる。
【００３４】
なお、上述したテーブル１およびテーブル移動機構５は、画像の記録時に記録媒体である印刷用紙を搬送する、この発明に係る第１搬送機構として機能する。
【００３５】
排紙部４は、印刷用紙をその外周部に巻回してテーブル１から分離する排紙胴７７と、排紙胴７７から受け取った印刷用紙を搬送するためのコンベア７３、７６を備える。この排紙部４は、排紙胴７７から受け取った印刷用紙を、コンベア７３、７６を介して、図示を省略したストッカー部に排出する。
【００３６】
この排紙部４の上方に配置された反転部７は、排紙部４上において印刷用紙をスイッチバック式に反転して、複数の搬送ユニット８１からなる第２搬送機構８により、給紙部２に再度搬送するためのものである。
【００３７】
次に、上記の構成を有する画像記録装置により、印刷用紙の両面に画像の記録を行う画像記録動作について説明する。
【００３８】
印刷用紙の両面に画像の記録を行うときには、無端搬送機構により周回軌道に沿って移動する１０個のテーブル１のうち、１番目のテーブル１に対して流し部５０から１枚目の印刷用紙供給され、この印刷用紙が１番目のテーブル１上に装着される。この印刷用紙に対して、画像記録部３における記録ヘッド２２、２３、２４、２５により画像が記録される。さらに、サッカー部４０において次の印刷用紙の供給の準備がなされる。この２枚目の印刷用紙は、１枚目の印刷用紙が装着された１番目のテーブル１の次のテーブル１をとばして、３番目のテーブル１に装着される。
【００３９】
引き続き画像の記録動作を継続すると、１枚目の印刷用紙は、反転部７に搬送される。また、３番目のテーブル１に装着された印刷用紙には、画像記録部３における記録ヘッド２２、２３、２４、２５により画像が記録される。さらに、５番目のテーブル１には、３枚目の印刷用紙が装着される。
【００４０】
さらに画像の記録動作を継続すると、１枚目の印刷用紙は、第２搬送機構８により流し部５０に向けて搬送される。また、２枚目の印刷用紙は、反転部７に搬送される。また、３枚目の印刷用紙は５番目のテーブル１に装着されて搬送される。４枚目の印刷用紙は、７番目のテーブル１に装着されて搬送され、画像記録部３における記録ヘッド２２、２３、２４、２５により画像が記録される。さらに、５枚目の印刷用紙がサッカー部４０より供給される。
【００４１】
さらに画像の記録動作を継続すると、６枚目の印刷用紙は１番目のテーブル１に装着されて搬送され、画像記録部３における記録ヘッド２２、２３、２４、２５により画像が記録される。さらに、サッカー部４０において７枚目の印刷用紙の供給の準備がなされる。この７枚目の印刷用紙は、６枚目の印刷用紙が装着された１番目のテーブル１の次のテーブル１をとばして、３番目のテーブル１に装着されることになる。そして、６枚目の印刷用紙が装着された１番目のテーブル１と７枚目の印刷用紙が装着される３番目のテーブル１との間の２番目のテーブル１に、表面の画像の記録が終了した１枚目の印刷用紙が装着される。
【００４２】
さらに画像の記録動作を継続すると、その表面に対する画像の記録が終了した印刷用紙と画像を記録していない印刷用紙が、交互にテーブル１に装着され、画像記録部３により印刷用紙の表面への画像の記録と印刷用紙の裏面への画像の記録とが、交互に実行される。そして、その両面への画像の記録が完了した１枚目の印刷用紙は、排紙部４のストッカー部に排出される。
【００４３】
この状態においては、第２搬送機構８により搬送される印刷用紙は、その表面にのみ画像の記録が行われた印刷用紙である。このため、第２搬送機構８により搬送される印刷用紙の搬送ピッチは、画像記録部３において画像が記録されるときの印刷用紙の搬送ピッチの倍となっている。
【００４４】
次に、この発明の特徴部分である第２搬送機構８の構成について説明する。図２は第２搬送機構８の概要を示す側面図であり、図３はその平面図である。また、図４および図５は、第２搬送機構の要部を下方から見た斜視図である。なお、図４は搬送ユニット８１が搬送位置に配置された状態を示し、図５は搬送ユニット８１がメンテナンス位置に配置された状態を示している。
【００４５】
この第２搬送機構８は、上述した図１や、図２および図３に示すように、各々ベルト搬送機構を備えた複数の搬送ユニット８１を列設した構成を有する。このベルト搬送機構は各々、駆動ローラ８４と、従動ローラ８３と、これらの駆動ローラ８４および従動ローラ８３に巻回された搬送ベルト８２とを備える。そして、各駆動ローラ８４は、一方向クラッチ８６を介して駆動モータ８７と接続されている。なお、この搬送機構の上方には、搬送すべき印刷用紙を搬送ベルト８２に押圧するための図示を省略した複数のガイドボールが配設されている。
【００４６】
また、各搬送ユニット８１は、ベルト搬送機構の下方に、透光板８５を備えている。この透光板８５は、ガラスや、透光性樹脂から構成される。また、図２に示すように、各搬送ユニット８１の上方には、搬送ユニット８１内に粉塵が侵入することを防止するための上蓋９４が配設されている。そして、この上蓋９４の下面には、各搬送ユニット８１に向けて光を照射するためのＬＥＤ等のライト９５が配設されている。
【００４７】
これらの、ベルト搬送機構と透光板８５とは、枠体９９（図４および図５参照）により支持されている。そして、枠体９９に支持されたベルト搬送機構や透光板８５から成る４個の搬送ユニット８１は、リンク機構９２およびガスばね９１の作用により、装置本体を構成するフレーム９６に対して、図４に示す搬送位置と、図５に示すメンテナンス位置との間で開閉可能となっている。
【００４８】
すなわち、図４および図５に示すように、枠体９９に支持されたベルト搬送機構や透光板８５かから成る搬送ユニット８１は、リンク機構９２を介してフレーム９６と連結されている。この搬送ユニット８１が図４に示す搬送位置にある状態から、オペレータがハンドル９３を回転させることにより、搬送ユニット８１は、図５に示すメンテナンス位置まで下降する。この下降時には、ガスばね９１の作用により、その下降速度が制限される。
【００４９】
ここで、搬送位置とは、図４に示すように、駆動ローラ８４と従動ローラ８３と搬送ベルト８２からなる搬送機構により、印刷用紙を搬送するための位置である。また、メンテナンス位置とは、各搬送ユニット８１において印刷用紙の搬送不良が発生した場合に、その印刷用紙を取り除いて搬送ユニット８１のメンテナンスを行うための位置である。
【００５０】
各搬送ユニット８１におけるベルト搬送機構の搬送速度は、各搬送ユニット８１のうち給紙部２に近い搬送ユニット８１ほど高速で、反転部７に近い搬送ユニット８１ほど低速となるように、各搬送モータ８７の回転速度が設定されている。このため、搬送ユニット８１により順次搬送される印刷用紙は、搬送が進むにつれて順次高速となる状態で搬送される。そして、上述したように、各駆動ローラ８４は、一方向クラッチ８６を介して駆動モータ８７と接続されている。このため、第２搬送機構８の搬送系路が比較的長い場合においても、印刷用紙の搬送不良を防止して、印刷用紙を好適に搬送することが可能となる。
【００５１】
なお、ベルト搬送機構を構成する駆動ローラ８４と従動ローラ８３との距離は、第２搬送機構８により搬送される記録媒体の搬送ピッチより大きくなるように設定されている。ここで、上述したように、第２搬送機構８により搬送される印刷用紙の搬送ピッチは、画像記録部３において画像が記録されるときの印刷用紙の搬送ピッチの倍となっている。このため、ベルト搬送機構を構成する駆動ローラ８４と従動ローラ８３との距離は、印刷用紙の最大長さより大きくした場合には、ベルト搬送機構を構成する駆動ローラ８４と従動ローラ８３との距離を、第２搬送機構８により搬送される記録媒体の搬送ピッチより大きく設定することができる。
【００５２】
このように、ベルト搬送機構を構成する駆動ローラ８４と従動ローラ８３との距離を、第２搬送機構８により搬送される記録媒体の搬送ピッチより大きくなるように設定した場合には、印刷用紙が３個以上の搬送ユニット８１により同時に搬送されることを防止することができる。このため、複数の印刷用紙を連続して、搬送速度に差がある複数の搬送ユニット８１により搬送した場合においても、搬送不良を生ずることなく、印刷用紙を好適に搬送することが可能となる。
【００５３】
このような第２搬送機構８により印刷用紙を搬送した場合に、何らかの原因で印刷用紙に搬送不良が発生し、印刷用紙が第２搬送機構８内で停滞した場合、各搬送ユニット８１の下面は透光板８５から構成されていることから、４個の搬送ユニット８１のうちのどの搬送ユニット８１の位置で印刷用紙が停滞しているかを確認することができる。なお、搬送ユニット８１内に粉塵が侵入することを防止するための上蓋９４が配設されており、通常は印刷用紙の確認は容易ではないが、この発明に係る画像記録装置においては、この上蓋９４の下面に各搬送ユニット８１に向けて光を照射するためのライト９５が配設されていることから、印刷用紙の停滞をより容易に確認することが可能となる。
【００５４】
そして、印刷用紙がどの搬送ユニット８１において停滞しているかの確認ができれば、その搬送ユニット８１のみを、図４に示す搬送位置から図５に示すメンテナンス位置まで移動させることにより、容易に、その搬送不良の解消を図ることが可能となる。
【００５５】
なお、上述した実施形態においては、印刷用紙の両面に画像を記録する両面印刷機にこの発明を適用した場合について説明したが、追い刷りを行う印刷機等にこの発明を適用してもよい。
【００５６】
また、上述した実施形態においては、インクジェット方式で画像を記録する画像記録装置にこの発明を適用しているが、電子写真方式や、オフセット印刷方式等の、その他の各種の画像記録装置にこの発明を適用してもよい。
【００５７】
さらに、印刷用紙以外の記録媒体に画像を記録する画像記録装置にこの発明を適用することも可能である。
【符号の説明】
【００５８】
１      テーブル
２      給紙部
３      画像記録部
４      排紙部
５      テーブル移動機構
６      ＧＵＩ
７      反転部
８      第２搬送機構
２１    前処理剤塗布ヘッド
２２    記録ヘッド
２３    記録ヘッド
２４    記録ヘッド
２５    記録ヘッド
３２    スキャナ
４０    サッカー部
４４    チェーン
４６    スプロケット
４７    スプロケット
４８    駆動スプロケット
５０    流し部
５１    チェーン
５５    吸着ファン
６１    リニアモータ機構
７７    排紙胴
８１    搬送ユニット
８２    搬送ベルト
８３    従動ローラ
８４    駆動ローラ
８５    透光板
８６    一方向クラッチ
８７    駆動モータ
９１    ガスばね
９２    リンク機構
９３    ハンドル
９５    ライト
９６    フレーム
９９    枠体
【図１】
2011068457.tif 000003
【図２】
2011068457.tif 000004
【図３】
2011068457.tif 000005
【図４】
2011068457.tif 000006
【図５】
2011068457.tif 000007